(57)【要約】指紋識別に基づくアプリケーションの起動方法および装置であって、表示ユニット１０１の指紋識別エリアの内側にセンサユニット１０２が設置されているため、ユーザがパネル上のアプリケーションアイコンについて操作を行うとき、直ちに、ユーザの指紋情報を採集でき、採集した指紋情報と予め設置した指紋情報とを照合することによってアプリケーションプログラムに対する起動またはロック解除を実現できる。既存の移動端末機器の指紋識別方法に比べて、本発明は、パネル上のアプリケーションアイコンに対するユーザの操作可能性を増強し、ユーザの体験を向上させるとともに、移動端末設備の全体の厚さを低減でき、移動端末設備がさらに薄く、マーケットの需要に満たすことができる。【選択図】図１
2020504407.tif 000002
【特許請求の範囲】
【請求項１】
指紋識別に基づくアプリケーションの起動方法であって、指紋識別に基づくアプリケーションの起動装置に応用され、該装置は指紋識別エリアが設置されている表示ユニットと、前記指紋識別エリアの内側に位置されて指紋識別エリアにおける指紋情報を取得するセンサユニットと、を含み、前記指紋識別に基づくアプリケーションの起動方法は、
アプリケーションアイコンと指紋情報との対応関係を予め設置するステップＳ１０１と、
アプリケーションアイコンに対するユーザの操作命令を受け付け、アプリケーションアイコンを指紋識別エリアに移動させるステップＳ１０２と、
指紋識別エリアにおける現在のユーザの指紋情報を取得するステップＳ１０３と、
取得した指紋情報と前記アプリケーションアイコンに対応して予め設置した指紋情報とがマッチングするのに成功するか否かを判断するステップＳ１０４と、
前記ステップＳ１０４において、成功したと判断する場合、前記アプリケーションアイコンに対応するアプリケーションプログラムを起動するステップＳ１０５と、
前記ステップＳ１０３において、成功しないと判断する場合、前記アプリケーションアイコンに対応するアプリケーションプログラムを起動しないステップＳ１０６と、
を含む、ことを特徴とする指紋識別に基づくアプリケーションの起動方法。
【請求項２】
前記ステップＳ１０１は、
ユーザの設置命令を受け付け、指紋識別エリアを表示するステップＳ２０１と、
前記指紋識別エリアにおけるユーザの指紋情報を取得して記憶するステップＳ２０２と、
アプリケーションプログラムリストを表示し、アプリケーションアイコンに対するユーザの選択命令を受け付け、選択されたアプリケーションアイコンと取得した指紋情報との対応関係を構築して記憶するステップＳ２０３と、
を含む、ことを特徴とする請求項１または２に記載の指紋識別に基づくアプリケーションの起動方法。
【請求項３】
前記アプリケーションアイコンの初期位置は指紋識別エリアの外側に位置されており、前記ステップＳ１０２は、
アプリケーションアイコンに対するユーザのドラッグ＆ドロップ命令を受け付け、アプリケーションアイコンを初期位置から指紋識別エリアに移動させることを含む、ことを特徴とする請求項１または２に記載の指紋識別に基づくアプリケーションの起動方法。
【請求項４】
前記アプリケーションアイコンの初期位置は指紋識別エリアの外側に位置されており、前記ステップＳ１０２は、
アプリケーションアイコンに対するユーザのタッチ命令を受け付け、アプリケーションアイコンを初期位置から指紋識別エリアに移動させ、前記タッチ命令はクリック命令またはボタン移動命令を含む、ことを特徴とする請求項１に記載の指紋識別に基づくアプリケーションの起動方法。
【請求項５】
前記指紋識別に基づくアプリケーションの起動方法は、さらに、
取得した指紋情報とマッチングするのに成功する予め設置した指紋情報が識別されていない場合、合図情報を送信するステップを含む、ことを特徴とする請求項１〜４のいずれか一項に記載の指紋識別に基づくアプリケーションの起動方法。
【請求項６】
前記合図情報は音声合図情報、画像合図情報、光合図情報、動画合図情報のうちの１つまたは複数を含む、ことを特徴とする請求項５に記載の指紋識別に基づくアプリケーションの起動方法。
【請求項７】
前記指紋識別に基づくアプリケーションの起動方法は、
指紋識別エリアにおけるユーザの指紋情報を取得する時間が予め設置された時間閾値を超える場合、アプリケーションアイコンの整理機能を起動し、アプリケーションアイコンに対して整理することを含む、ことを特徴とする請求項１〜６のいずれか一項に記載の指紋識別に基づくアプリケーションの起動方法。
【請求項８】
前記アプリケーションアイコンに対して整理することは、アプリケーションアイコンに対するユーザの座標移動命令を受け付け、アプリケーションアイコンを現在位置から目標位置に移動させることを含む、ことを特徴とする請求項７に記載の指紋識別に基づくアプリケーションの起動方法。
【請求項９】
前記表示ユニットは、ＡＭＯＬＥＤ表示パネルまたはＬＣＤ液晶表示パネルを含む、ことを特徴とする請求項１〜８のいずれか一項に記載の指紋識別に基づくアプリケーションの起動方法。
【請求項１０】
前記表示ユニットがＬＣＤ液晶表示パネルである場合、前記センサユニットの内側にはバックライトユニットがさらに設置されており、前記センサユニットはバックライトユニットとＬＣＤ液晶表示パネルとの間に設置されている、ことを特徴とする請求項９に記載の指紋識別に基づくアプリケーションの起動方法。
【請求項１１】
前記センサユニットは、ＴＦＴイメージセンシングアレイ薄膜を含む、ことを特徴とする請求項１〜１０のいずれか一項に記載の指紋識別に基づくアプリケーションの起動方法。
【請求項１２】
前記アプリケーションプログラムは画像、動画、音声、移動端末ソフトウェアのうちの１つまたは複数を含む、ことを特徴とする請求項１〜１１のいずれか一項に記載の指紋識別に基づくアプリケーションの起動方法。
【請求項１３】
前記指紋識別エリアは複数の指紋識別サブエリアを含み、各指紋識別サブエリアの内側には対応するセンサユニットが設置されている、ことを特徴とする請求項１〜１２のいずれか一項に記載の指紋識別に基づくアプリケーションの起動方法。
【請求項１４】
前記指紋識別に基づくアプリケーションの起動装置は、センサユニット制御回路をさらに含み、前記指紋識別に基づくアプリケーションの起動方法は、さらに、
指紋識別サブエリアに対するユーザの起動命令を受け付けてセンサユニット制御回路が前記指紋識別サブエリアの内側におけるセンサユニットを起動すること、および、指紋識別サブエリアに対するユーザの終了命令を受け付けてセンサユニット制御回路が前記指紋識別サブエリアの内側におけるセンサユニットを終了することを含む、ことを特徴とする請求項１３に記載の指紋識別に基づくアプリケーションの同期起動方法。
【請求項１５】
指紋識別に基づくアプリケーションの起動装置であって、指紋識別エリアが設置されている表示ユニットと、前記指紋識別エリアの内側に位置されて指紋識別エリアにおける指紋情報を取得するセンサユニットと、を含み、前記指紋識別に基づくアプリケーションの起動装置は、さらに、指紋情報設置ユニット、操作命令受信ユニットおよび処理ユニットを含み、
前記指紋情報設置ユニットは、アプリケーションアイコンと指紋情報との対応関係を予め設置することに用いられ、
前記操作命令受信ユニットは、アプリケーションアイコンに対するユーザの操作命令を受け付け、アプリケーションアイコンを指紋識別エリアに移動させることに用いられ、
前記センサユニットは、指紋識別エリアにおける現在のユーザの指紋情報を取得することに用いられ、
前記処理ユニットは、取得した指紋情報と前記アプリケーションアイコンに対応して予め設置した指紋情報とがマッチングするのに成功するか否かを判断し、成功したと判断する場合、前記アプリケーションアイコンに対応するアプリケーションプログラムを起動し、成功しないと判断する場合、前記アプリケーションアイコンに対応するアプリケーションプログラムを起動しないことに用いられる、
ことを特徴とする指紋識別に基づくアプリケーションの起動装置。
【請求項１６】
前記指紋情報設置ユニットがアプリケーションアイコンと指紋情報との対応関係を予め設置することに用いられることは、
前記操作命令受信ユニットがユーザの設置命令を受け付け、前記表示ユニットが指紋識別エリアを表示することと、
前記センサユニットが前記指紋識別エリアにおけるユーザの指紋情報を取得して記憶することと、
前記表示ユニットがアプリケーションプログラムリストを表示し、前記操作命令受信ユニットがアプリケーションアイコンに対するユーザの選択命令を受け付け、前記処理ユニットが選択されたアプリケーションアイコンと取得した指紋情報との対応関係を構築して記憶することと、
を含む、ことを特徴とする請求項１５に記載の指紋識別に基づくアプリケーションの起動装置。
【請求項１７】
前記アプリケーションアイコンの初期位置は指紋識別エリアの外側に位置されており、前記操作命令受信ユニットは、アプリケーションアイコンに対するユーザのドラッグ＆ドロップ命令を受け付け、アプリケーションアイコンを初期位置から指紋識別エリアに移動させることに用いられる、ことを特徴とする請求項１５または１６に記載の指紋識別に基づくアプリケーションの起動装置。
【請求項１８】
前記アプリケーションアイコンの初期位置は指紋識別エリアの外側に位置されており、前記操作命令受信ユニットは、アプリケーションアイコンに対するユーザのタッチ命令を受け付け、アプリケーションアイコンを初期位置から指紋識別エリアに移動させ、前記タッチ命令はクリック命令またはボタン移動命令を含む、ことを特徴とする請求項１５または１６に記載の指紋識別に基づくアプリケーションの起動装置。
【請求項１９】
前記処理ユニットは、取得した指紋情報とマッチングするのに成功する予め設置した指紋情報が識別されていない場合、合図情報を送信する、ことを特徴とする請求項１５〜１８のいずれか一項に記載の指紋識別に基づくアプリケーションの起動装置。
【請求項２０】
前記合図情報は音声合図情報、画像合図情報、光合図情報、動画合図情報のうちの１つまたは複数を含む、ことを特徴とする請求項１９に記載の指紋識別に基づくアプリケーションの起動装置。
【請求項２１】
前記処理ユニットは、指紋識別エリアにおけるユーザの指紋情報を取得する時間が予め設置された時間閾値を超える場合、アプリケーションアイコンの整理機能を起動し、アプリケーションアイコンに対して整理する、ことを特徴とする請求項１５〜２０のいずれか一項に記載の指紋識別に基づくアプリケーションの起動装置。
【請求項２２】
処理ユニットがアプリケーションアイコンに対して整理することは、処理ユニットがアプリケーションアイコンに対するユーザの座標移動命令を受け付け、アプリケーションアイコンを現在位置から目標位置に移動させることを含む、ことを特徴とする請求項２１に記載の指紋識別に基づくアプリケーションの起動装置。
【請求項２３】
前記表示ユニットは、ＡＭＯＬＥＤ表示パネルまたはＬＣＤ液晶表示パネルを含む、ことを特徴とする請求項１５〜２２のいずれか一項に記載の指紋識別に基づくアプリケーションの起動装置。
【請求項２４】
前記表示ユニットがＬＣＤ液晶表示パネルである場合、前記センサユニットの内側にはバックライトユニットがさらに設置されており、前記センサユニットはバックライトユニットとＬＣＤ液晶表示パネルとの間に設置されている、ことを特徴とする請求項２３に記載の指紋識別に基づくアプリケーションの起動装置。
【請求項２５】
前記センサユニットは、ＴＦＴイメージセンシングアレイ薄膜を含む、ことを特徴とする請求項１５〜２４のいずれか一項に記載の指紋識別に基づくアプリケーションの起動装置。
【請求項２６】
前記アプリケーションプログラムは画像、動画、音声、移動端末ソフトウェアのうちの１つまたは複数を含む、ことを特徴とする請求項１５〜２５のいずれか一項に記載の指紋識別に基づくアプリケーションの起動装置。
【請求項２７】
前記指紋識別エリアは複数の指紋識別サブエリアを含み、各指紋識別サブエリアの内側には対応するセンサユニットが設置されている、ことを特徴とする請求項１５〜２６のいずれか一項に記載の指紋識別に基づくアプリケーションの起動装置。
【請求項２８】
前記指紋識別に基づくアプリケーションの起動装置は、センサユニット制御回路をさらに含み、前記操作命令受信ユニットは、さらに、指紋識別サブエリアに対するユーザの起動命令を受け付けて前記センサユニット制御回路が前記指紋識別サブエリアの内側におけるセンサユニットを起動すること、および、前記操作命令受信ユニットが指紋識別サブエリアに対するユーザの終了命令を受け付けて前記センサユニット制御回路が前記指紋識別サブエリアの内側におけるセンサユニットを終了する、ことを特徴とする請求項２７に記載の指紋識別に基づくアプリケーションの起動装置。
【発明の詳細な説明】
【技術分野】
【０００１】
本発明は、電子機器応用の技術分野に関し、特に指紋識別に基づくアプリケーションの起動方法および装置に関する。
【背景技術】
【０００２】
科学の発展および技術の進歩にともない、タッチパネルは、ヒューマンマシンインターフェースを有する装置に幅広く応用されている。たとえば、産業用コンピュータにおける操作パネル、タブレット型パソコンおよびスマートフォンにおけるタッチパネルなどである。これらの装置は、その使用過程において常に大量のユーザ情報がともなっているため、情報の安全に対する保護は非常に重要である。様々な情報安全保護方法において、指紋識別による暗号化はその中でも重要な方法である。
【０００３】
既存の指紋識別技術の多くは未だに端末のパワーオンロック解除またはパネルロック解除の機能に止まっており、専用ボタン（例えばｉＰｈｏｎｅ携帯電話のホームボタン）を設置し、さらにボタンの内側にキャパシタンス式指紋識別センサを内蔵して、ボタン上に残したユーザの指紋を採集する必要がある。このように、キャパシタンス式指紋識別センサを設置する必要があるため、端末の加工および取付の複雑度が増加されるだけでなく、端末全体の厚さも増加されてしまい、端末パネルの薄型化、全画面化および曲げ可能への応用の発展を制限している。
【０００４】
アプリケーションプログラムの暗号化および起動について、現在の多くは未だにパスワードの入力またはスライディングトラックを予め設置することによりパネルをロック解除することに止まっている。生物特徴に基づく指紋識別に比べて、これらの暗号化方法はさらに解読されやすいため、情報の安全性を保障できない。たとえ上述の指紋識別方法を導入したとしても、表示パネル外側のセンサにより指紋を認証してからアプリケーションを起動しなければならないため、アプリケーションの起動過程は依然として上述のセンサの欠点に制限され、ユーザの操作体験を改善できない。
【発明の概要】
【発明が解決しようとする課題】
【０００５】
本発明は上記問題点に鑑みてなされたものであって、既存のアプリケーション起動方法が依然として情報解読されやすいといったリスクの高い問題を解決でき、指紋識別機能を有する装置を改善することによりヒューマンマシンインターフェースの薄型化、全画面化のユーザ体験を実現でき、同時にユーザのプライバシー保護およびユーザビリティの多重需要を満たすことができる指紋識別に基づくアプリケーションの起動方法および装置を提供することを目的とする。
【課題を解決するための手段】
【０００６】
上記目的を達成するための本発明に係る指紋識別に基づくアプリケーションの起動方法は、指紋識別に基づくアプリケーションの起動装置に応用され、該装置は指紋識別エリアが設置されている表示ユニットと、前記指紋識別エリアの内側に位置されて指紋識別エリアにおける指紋情報を取得するセンサユニットと、を含み、前記指紋識別に基づくアプリケーションの起動方法は、
アプリケーションアイコンと指紋情報との対応関係を予め設置するステップＳ１０１と、
アプリケーションアイコンに対するユーザの操作命令を受け付け、アプリケーションアイコンを指紋識別エリアに移動させるステップＳ１０２と、
指紋識別エリアにおける現在のユーザの指紋情報を取得するステップＳ１０３と、
取得した指紋情報と前記アプリケーションアイコンに対応して予め設置した指紋情報とがマッチングするのに成功するか否かを判断するステップＳ１０４と、
前記ステップＳ１０４において、成功したと判断する場合、前記アプリケーションアイコンに対応するアプリケーションプログラムを起動するステップＳ１０５と、
前記ステップＳ１０３において、成功しないと判断する場合、前記アプリケーションアイコンに対応するアプリケーションプログラムを起動しないステップＳ１０６と、
を含む。
【０００７】
さらに、前記ステップＳ１０１は、
ユーザの設置命令を受け付け、指紋識別エリアを表示するステップＳ２０１と、
前記指紋識別エリアにおけるユーザの指紋情報を取得して記憶するステップＳ２０２と、
アプリケーションプログラムリストを表示し、アプリケーションアイコンに対するユーザの選択命令を受け付け、選択されたアプリケーションアイコンと取得した指紋情報との対応関係を構築して記憶するステップＳ２０３と、
を含む。
【０００８】
さらに、前記アプリケーションアイコンの初期位置は指紋識別エリアの外側に位置されており、前記ステップＳ１０２は、
アプリケーションアイコンに対するユーザのドラッグ＆ドロップ命令を受け付け、アプリケーションアイコンを初期位置から指紋識別エリアに移動させることを含む。
【０００９】
さらに、前記アプリケーションアイコンの初期位置は指紋識別エリアの外側に位置されており、前記ステップＳ１０２は、
アプリケーションアイコンに対するユーザのタッチ命令を受け付け、アプリケーションアイコンを初期位置から指紋識別エリアに移動させ、前記タッチ命令はクリック命令またはボタン移動命令を含む。
【００１０】
さらに、前記指紋識別に基づくアプリケーションの起動方法は、
取得した指紋情報とマッチングするのに成功する予め設置した指紋情報が識別されていない場合、合図情報を送信するステップを含む。
【００１１】
さらに、前記合図情報は音声合図情報、画像合図情報、光合図情報、動画合図情報のうちの１つまたは複数を含む。
【００１２】
さらに、前記指紋識別に基づくアプリケーションの起動方法は、
指紋識別エリアにおけるユーザの指紋情報を取得する時間が予め設置された時間閾値を超える場合、アプリケーションアイコンの整理機能を起動し、アプリケーションアイコンに対して整理することを含む。
【００１３】
さらに、前記アプリケーションアイコンに対して整理することは、アプリケーションアイコンに対するユーザの座標移動命令を受け付け、アプリケーションアイコンを現在位置から目標位置に移動させることを含む。
【００１４】
さらに、前記表示ユニットは、ＡＭＯＬＥＤ表示パネルまたはＬＣＤ液晶表示パネルを含む。
【００１５】
さらに、前記表示ユニットがＬＣＤ液晶表示パネルである場合、前記センサユニットの内側にはバックライトユニットがさらに設置されており、前記センサユニットはバックライトユニットとＬＣＤ液晶表示パネルとの間に設置されている。
【００１６】
さらに、前記センサユニットは、ＴＦＴイメージセンシングアレイ薄膜を含む。
【００１７】
さらに、前記アプリケーションプログラムは画像、動画、音声、移動端末ソフトウェアのうちの１つまたは複数を含む。
【００１８】
さらに、前記指紋識別エリアは複数の指紋識別サブエリアを含み、各指紋識別サブエリアの内側には対応するセンサユニットが設置されている。
【００１９】
さらに、前記指紋識別に基づくアプリケーションの起動装置は、センサユニット制御回路をさらに含み、前記指紋識別に基づくアプリケーションの起動方法は、さらに、
指紋識別サブエリアに対するユーザの起動命令を受け付けてセンサユニット制御回路が前記指紋識別サブエリアの内側におけるセンサユニットを起動すること、および、指紋識別サブエリアに対するユーザの終了命令を受け付けてセンサユニット制御回路が前記指紋識別サブエリアの内側におけるセンサユニットを終了することを含む。
【００２０】
上記目的を達成するための本発明に係る指紋識別に基づくアプリケーションの起動装置は、指紋識別エリアが設置されている表示ユニットと、前記指紋識別エリアの内側に位置されて指紋識別エリアにおける指紋情報を取得するセンサユニットと、を含み、前記指紋識別に基づくアプリケーションの起動装置は、さらに、指紋情報設置ユニット、操作命令受信ユニットおよび処理ユニットを含み、
前記指紋情報設置ユニットは、アプリケーションアイコンと指紋情報との対応関係を予め設置し、
前記操作命令受信ユニットは、アプリケーションアイコンに対するユーザの操作命令を受け付け、アプリケーションアイコンを指紋識別エリアに移動させ、
前記センサユニットは、指紋識別エリアにおける現在のユーザの指紋情報を取得し、
前記処理ユニットは、取得した指紋情報と前記アプリケーションアイコンに対応して予め設置した指紋情報とがマッチングするのに成功するか否かを判断し、成功したと判断する場合、前記アプリケーションアイコンに対応するアプリケーションプログラムを起動し、成功しないと判断する場合、前記アプリケーションアイコンに対応するアプリケーションプログラムを起動しない。
【００２１】
さらに、前記指紋情報設置ユニットがアプリケーションアイコンと指紋情報との対応関係を予め設置することは、
前記操作命令受信ユニットがユーザの設置命令を受け付け、前記表示ユニットが指紋識別エリアを表示することと、
前記センサユニットが前記指紋識別エリアにおけるユーザの指紋情報を取得して記憶することと、
前記表示ユニットがアプリケーションプログラムリストを表示し、前記操作命令受信ユニットがアプリケーションアイコンに対するユーザの選択命令を受け付け、前記処理ユニットが選択されたアプリケーションアイコンと取得した指紋情報との対応関係を構築して記憶することと、
を含む。
【００２２】
さらに、前記アプリケーションアイコンの初期位置は指紋識別エリアの外側に位置されており、前記操作命令受信ユニットは、アプリケーションアイコンに対するユーザのドラッグ＆ドロップ命令を受け付け、アプリケーションアイコンを初期位置から指紋識別エリアに移動させる。
【００２３】
さらに、前記アプリケーションアイコンの初期位置は指紋識別エリアの外側に位置されており、前記操作命令受信ユニットは、アプリケーションアイコンに対するユーザのタッチ命令を受け付け、アプリケーションアイコンを初期位置から指紋識別エリアに移動させ、前記タッチ命令はクリック命令またはボタン移動命令を含む。
【００２４】
さらに、前記処理ユニットは、取得した指紋情報とマッチングするのに成功する予め設置した指紋情報が識別されていない場合、合図情報を送信する。
【００２５】
さらに、前記合図情報は音声合図情報、画像合図情報、光合図情報、動画合図情報のうちの１つまたは複数を含む。
【００２６】
さらに、前記処理ユニットは、指紋識別エリアにおけるユーザの指紋情報を取得する時間が予め設置された時間閾値を超える場合、アプリケーションアイコンの整理機能を起動し、アプリケーションアイコンに対して整理する。
【００２７】
さらに、処理ユニットがアプリケーションアイコンに対して整理することは、処理ユニットがアプリケーションアイコンに対するユーザの座標移動命令を受け付け、アプリケーションアイコンを現在位置から目標位置に移動させることを含む。
【００２８】
さらに、前記表示ユニットは、ＡＭＯＬＥＤ表示パネルまたはＬＣＤ液晶表示パネルを含む。
【００２９】
さらに、前記表示ユニットがＬＣＤ液晶表示パネルである場合、前記センサユニットの内側にはバックライトユニットがさらに設置されており、前記センサユニットはバックライトユニットとＬＣＤ液晶表示パネルとの間に設置されている。
【００３０】
さらに、前記センサユニットは、ＴＦＴイメージセンシングアレイ薄膜を含む。
【００３１】
さらに、前記アプリケーションプログラムは画像、動画、音声、移動端末ソフトウェアのうちの１つまたは複数を含む。
【００３２】
さらに、前記指紋識別エリアは複数の指紋識別サブエリアを含み、各指紋識別サブエリアの内側には対応するセンサユニットが設置されている。
【００３３】
さらに、前記指紋識別に基づくアプリケーションの起動装置は、センサユニット制御回路をさらに含み、前記操作命令受信ユニットは、さらに、指紋識別サブエリアに対するユーザの起動命令を受け付けて前記センサユニット制御回路が前記指紋識別サブエリアの内側におけるセンサユニットを起動すること、および、前記操作命令受信ユニットが指紋識別サブエリアに対するユーザの終了命令を受け付けて前記センサユニット制御回路が前記指紋識別サブエリアの内側におけるセンサユニットを終了する。
【発明の効果】
【００３４】
本発明によれば、以下のような利点を有する。
表示ユニットの指紋識別エリアの内側にセンサユニットが設置されているため、ユーザがパネル上のアプリケーションアイコンについて操作を行うとき、直ちに、ユーザの指紋情報を採集でき、採集した指紋情報と予め設置した指紋情報とを照合することによってアプリケーションプログラムに対する起動またはロック解除を実現できる。既存の移動端末機器が表示パネル外側のセンサを介して指紋を認証してからアプリケーションを起動しなければならない方法に比べて、本発明は、パネル上のアプリケーションアイコンに対してユーザの指紋で直接ロック解除する操作可能性を増強し、ユーザの体験を改善できるだけでなく、全画面化、薄型化設計の端末に対し、該操作性を介して、パネル内での指紋識別機能を実現することによりマーケットの需要に満たすことができる。
【図面の簡単な説明】
【００３５】
【図１】本発明の一実施形態に係る指紋識別に基づくアプリケーションの起動方法のフローチャートである。
【図２】本発明の他の一実施形態に係る指紋識別に基づくアプリケーションの起動方法のフローチャートである。
【図３】本発明の一実施形態に係る指紋識別に基づくアプリケーションの起動装置を示す図である。
【図４】本発明の一実施形態に係るセンサユニットを示す図である。
【図５】本発明の他の一実施形態に係る指紋識別に基づくアプリケーションの起動装置を示す図である。
【発明を実施するための形態】
【００３６】
以下、実施形態に合わせて図面を参照しながら、本発明の技術内容、構造的特徴、実現される目的および効果について詳細に説明する。
【００３７】
図１は、本発明の一実施形態に係る指紋識別に基づくアプリケーションの起動方法のフローチャートである。該方法は、指紋識別に基づくアプリケーションの起動装置に応用され、該装置はタッチパネルを有する電子機器であって、たとえば、携帯電話、タブレット型パソコン、パーソナルデジタルアシスタント（ＰＤＡ、Ｐｅｒｓｏｎａｌ  Ｄｉｇｉｔａｌ  Ａｓｓｉｓｔａｎｔ）などのようなスマートモバイル機器であってもよく、パーソナルコンピュータ、産業用コンピュータなどのような電子機器であってもよい。
【００３８】
上記装置は、指紋識別エリアが設置されている表示ユニット１０１と、指紋識別エリアの内側に位置されて指紋識別エリアにおける指紋情報を取得するセンサユニット１０２と、を含む。本実施形態において、表示ユニットは、ＡＭＯＬＥＤ表示パネルまたはＬＣＤ液晶表示パネルを含む。他の実施形態において、表示ユニットは表示機能を有する他の電子部品であってもよい。指紋識別に基づくアプリケーションの起動方法は、以下の処理ステップを含む。
【００３９】
（ステップＳ１０１）
まず、ステップＳ１０１において、アプリケーションアイコンと指紋情報との対応関係を予め設置する。アプリケーションアイコンは、アプリケーションプログラムのサムネイルであり、１つのアプリケーションアイコンは１つのアプリケーションプログラムに対応している。ユーザによりアプリケーションアイコンがクリックされる場合、アプリケーションプログラムに対する起動命令がトリガーされる。本実施形態において、アプリケーションプログラムは、画像、動画、音声、移動端末ソフトウェア（例えば、スマートフォンにおける各種のＡＰＰ）のうちの１つまたは複数を含む。予め設置した指紋情報は、ユーザにより予め入力され記憶された指紋情報であり、１つの指紋情報は１つまたは複数のアプリケーションアイコンと関連づけられることができ、アプリケーションアイコンと指紋情報との対応関係は記憶されている。ここで、アプリケーションアイコンと指紋情報との対応関係は、装置の記憶ユニットに記憶されることができ、たとえば、携帯電話のメモリ、コンピュータのハードディスクに記憶されてもよく、サーバの記憶ユニットに記憶されてもよい。そして、予め設置したアプリケーションアイコンと指紋情報との対応関係を取得する必要がある場合、装置とサーバとを通信接続さえすればよく、通信接続された後にサーバから予め記憶された指紋情報を取得すればよい。通信接続は、有線通信接続または無線通信接続を含む。
【００４０】
（ステップＳ１０２）
続いて、ステップＳ１０２において、アプリケーションアイコンに対するユーザの操作命令を受け付け、アプリケーションアイコンを指紋識別エリアに移動させる。本実施形態において、アプリケーションアイコンの初期位置は指紋識別エリアの外側に位置されており、ここにおけるアプリケーションアイコンは、ロック解除または起動が必要であるアプリケーションプログラムに対応するアプリケーションアイコンを指す。その他のアプリケーションアイコンならば、パネルにおけるその初期位置は限定されておらず、指紋識別エリアの外側に位置されてもよく、指紋識別エリア内に位置されてもよい。
【００４１】
一部の実施形態において、アプリケーションアイコンに対するユーザの操作命令を受け付け、アプリケーションアイコンを指紋識別エリアに移動させるステップは、アプリケーションアイコンに対するユーザのドラッグ＆ドロップ命令を受け付け、アプリケーションアイコンを初期位置から指紋識別エリアに移動させることを含む。ユーザは、まずクリックにより移動待ちのアプリケーションアイコンを選択し、続いて指のスライディングによりアプリケーションアイコンを初期位置から指紋識別エリアに移動させ、ドラッグ＆ドロップ命令をトリガーできる。当然ながら、ユーザは、移動待ちのアプリケーションアイコンを選択した後、一定のタッチルートに沿って移動させてからアプリケーションアイコンを指紋識別エリアに移動させ、ドラッグ＆ドロップ命令をトリガーしてもよい。簡単に言えば、アプリケーションアイコンのスライディングルートはユーザの好みに応じて自ら定めることができ、アプリケーションアイコンを移動させた後の終点が指紋識別エリアの範囲内に位置されることさえ保証すればよい。
【００４２】
一部の実施形態において、アプリケーションアイコンの初期位置は指紋識別エリアの外側に位置されており、アプリケーションアイコンに対するユーザの操作命令を受け付け、アプリケーションアイコンを指紋識別エリアに移動させるステップは、アプリケーションアイコンに対するユーザのタッチ命令を受け付け、アプリケーションアイコンを初期位置から指紋識別エリアに移動させ、タッチ命令はクリック命令またはボタン移動命令を含む。
【００４３】
タッチ命令がクリック命令である場合、ステップＳ１０２は以下の方法により実現される。アプリケーションアイコンがタッチされるポイントの数とタッチ命令との対応関係を設置し、タッチされるポイントの数が要求に満たしていることを検出した場合、クリック命令をトリガーし、アプリケーションアイコンを初期位置から指紋識別エリアに移動させる。たとえば、ユーザはダブルクリックをアプリケーションアイコンを移動させるクリック命令のトリガーとして予め設置できる。ユーザがアプリケーションプログラムに対してロック解除または起動を行う必要がある場合、パネルにおいてアプリケーションプログラムに対応するアプリケーションアイコンをダブルクリックさえすれば、アプリケーションアイコンは初期位置から速やかに指紋識別エリアに移動される。また、ユーザはさらに予め設置したボタンによりクリック命令をトリガーしてもよい。たとえば、パネルにおいて「移動」ボタンを追加設置し、ユーザにより移動待ちのアプリケーションアイコンがクリックされて選択された後、「移動」ボタンがクリックされれば、アプリケーションアイコンは速やかに指紋識別エリアに移動される。
【００４４】
タッチ命令がボタン移動命令である場合、ステップＳ１０２は以下の方法により実現される。ユーザによりロック解除待ちまたは起動待ちのアプリケーションプログラムに対応するアプリケーションアイコンが選択された後、パネルにおいて方向キー（たとえば、上、下、左、右との四つの方向を含む）を含む疑似キーボードを表示させ、疑似キーボードにおける方向キーに対するユーザの操作を受け付け、アプリケーションアイコンを初期位置から指紋識別エリアに移動させる。なお、機械式ボタンを有する装置については、さらに、ユーザによりロック解除待ちまたは起動待ちのアプリケーションプログラムに対応するアプリケーションアイコンが選択された後、機械式ボタンにおけるユーザの操作命令を受け付け、アプリケーションアイコンを初期位置から指紋識別エリアに移動させてもよい。
【００４５】
（ステップＳ１０３）
続いて、ステップＳ１０３において、指紋識別エリアにおける現在のユーザの指紋情報を取得する。装置がユーザのドラッグ＆ドロップ命令を受け付けた場合、ユーザの手はアプリケーションアイコンを初期位置から指紋識別エリアに移動した後にパネルから離れ、指紋識別エリアの内側にはセンサユニットが設置されているため、センサユニットは、ユーザの手が指紋識別エリアの範囲内に位置されている場合のユーザの指紋情報を同期に採集できる。また、装置がユーザのタッチ命令を受け付けた場合、ユーザはロック解除待ちまたは起動待ちのアプリケーションプログラムのアプリケーションアイコンが指紋識別エリアに移動された後、再度手で指紋識別エリアを押圧すれば、装置はユーザの指紋情報を受け付けることができる。
【００４６】
（ステップＳ１０４〜Ｓ１０６）
続いて、ステップＳ１０４において、取得した指紋情報とアプリケーションアイコンに対応して予め設置した指紋情報とがマッチングするのに成功するか否かを判断し、マッチングするのに成功したと判断する場合、ステップＳ１０５において、アプリケーションアイコンに対応するアプリケーションプログラムを起動し、マッチングするのに成功しないと判断する場合、ステップＳ１０６において、アプリケーションアイコンに対応するアプリケーションプログラムを起動しない。指紋情報の照合は指紋識別アルゴリズムにより実現でき、指紋識別アルゴリズムは装置の記憶ユニットに記憶されることができる。センサユニットが指紋識別エリアにおける指紋情報を取得した後、装置のプロセッサは記憶ユニットに記憶されている指紋識別アルゴリズムを呼び出し、取得した指紋情報と予め設置した指紋情報とを照合して両者がマッチングするのに成功するか否かを判断する。指紋識別アルゴリズムは、指紋画像に対する前処理、データ特徴の抽出、特徴マッチング、指紋の識別などのステップを含み、多種のアルゴリズムにより実現でき、これらのアルゴリズムはいずれも成熟な既存技術であり、現在は既にいろんな暗号化および復号化の分野において応用されているため、ここでは詳細な説明を省略する。
【００４７】
上記方法によれば、以下の利点を有する。表示ユニットの指紋識別エリアの内側にセンサユニットが設置されているため、ユーザがパネル上のアプリケーションアイコンついて操作を行うとき、直ちに、ユーザの指紋情報を採集でき、採集した指紋情報と予め設置した指紋情報とを照合することによってアプリケーションプログラムに対する起動またはロック解除を実現できる。既存の移動端末機器が表示パネル外側のセンサを介して指紋を認証してからアプリケーションを起動しなければならない方法に比べて、本発明は、パネルにおけるユーザによる操作可能な空間を拡張し、パネル上のアプリケーションアイコンに対してユーザの指紋で直接ロック解除する操作可能性を増強し、ユーザの体験を改善できるだけでなく、全画面化、薄型化設計の端末に対し、該操作性を介して、パネル内での指紋識別機能を実現することによりマーケットの需要に満たすことができる。
【００４８】
図２は、本発明の他の一実施形態に係る指紋識別に基づくアプリケーションの起動方法のフローチャートである。アプリケーションアイコンと指紋情報との対応関係を予め設置するステップＳ１０１は、以下の処理ステップを含む。
【００４９】
（ステップＳ２０１）
まず、ステップＳ２０１において、ユーザの設置命令を受け付け、指紋識別エリアを表示する。設置命令はユーザがパネル上のタスクバーにおける１つのボタンをクリックすることによりトリガーされることができ、装置は設置命令を受け付けた後、指紋識別エリアを表示することにより、ユーザによる指紋情報の入力を便利にする。本実施形態において、指紋識別エリアを表示することは、指紋識別エリアの輝度を向上させること、または、指紋識別エリアにおいて入力を合図するインプットボックスを表示することを含む。他の実施形態において、ユーザの設置命令を受け付ける前に、さらに、ユーザＩＤおよびパスワードを含むユーザのアカウント情報を受け付けることを含む。ユーザは正確なユーザＩＤおよびパスワードを入力する必要があり、ユーザアカウントにログインした後、設置命令をトリガーできる。このようにすれば、指紋情報設置の安全性を向上させることができるとともに、１つの装置における異なるユーザを区別でき、異なる指紋情報およびそれに対応するアプリケーションアイコンを記憶できる効果を奏する
【００５０】
（ステップＳ２０２）
続いて、ステップＳ２０２において、指紋識別エリアにおけるユーザの指紋情報を取得して記憶する。ユーザの指の端部が指紋識別エリアと接触する場合に採集する指紋情報は、即ち、予め設置する指紋情報であり、採集した情報を記憶ユニットに記憶する。
【００５１】
（ステップＳ２０３）
続いて、ステップＳ２０３において、アプリケーションプログラムリストを表示し、アプリケーションアイコンに対するユーザの選択命令を受け付け、選択されたアプリケーションアイコンと取得した指紋情報との対応関係を構築して記憶する。選択命令は、ユーザのクリックによりチェックをいれ、ダブルクリックするなどの方法によりトリガーできる。このようにすれば、ユーザは自身の必要に応じて、情報の安全性が重要なアプリケーションプログラムについては、指紋情報を採用しなければ暗号化または起動できないように設置できる。一方、情報の安全性があまり重要でないアプリケーションプログラムについては、選択を設置せず、このようなアプリケーションは、起動または復号過程において指紋識別エリアに移動してロック解除する必要がなく、直接クリックすれば起動を完成できる。
【００５２】
一部の実施形態において、上記方法は、さらに、取得した指紋情報とマッチングするのに成功する予め設置した指紋情報が識別されていない場合、合図情報を送信することを含む。合図情報は、音声合図情報、画像合図情報、光合図情報、動画合図情報のうちの１つまたは複数を含む。取得した指紋情報とマッチングするのに成功する予め設置した指紋情報が識別されていないことは、通常、以下の２つの場合を含む。１つの場合は、指紋識別が失敗する場合であって、即ち、記憶ユニットには指紋情報を予め記憶したが、ユーザの指紋情報を取得する際、ユーザの指の端部とパネルとの接触が充分でなかったため、採集された指紋情報が完全でなく、指紋識別に失敗する場合である。他の１つの場合は、記憶ユニットに指紋情報が記憶されていない場合である。
【００５３】
上記１つの場合おいて、装置は、取得した指紋情報とマッチングするのに成功する予め設置した指紋情報が識別されていないとき、音声合図情報または画像合図情報を送信する。音声合図情報は、再び指紋を入力するようにユーザに合図する音声による合図情報を含み、画像合図情報は、再び指紋を入力するようにユーザに合図するポップアップウインドーによる合図情報を含む。ユーザにより入力された指紋情報を取得する回数が予め設置された回数を超え、かつ取得した指紋情報とマッチングするのに成功する予め設置した指紋情報が識別されていない場合、記憶ユニットには指紋情報が記憶されていないとして認定され、即ち、上述の他の１つの場合である。
【００５４】
上記他の１つの場合において、装置は、同様に画像合図情報を送信でき、例えば、ポップアップウインドーにより現在の指紋情報は記憶するための入力であることをユーザに合図する。なお、動画合図情報を送信することもでき、動画合図情報はどのように新たな指紋情報を入力するといった説明内容を含み、ユーザは動画合図情報にしたがって新たな指紋情報の入力を完成できる。当然ながら、合図情報は、さらに、振動、光による合図などの方法によっても実現できる。簡単に言えば、合図情報は、今回取得した指紋情報とマッチングする指紋情報がないということをユーザに速やかに了解してもらうためのものであって、合図情報の形式についての選択は異なるメーカの設置に応じて調整できる。
【００５５】
パネル上のアプリケーションアイコンに対するユーザの操作は、アプリケーションアイコンに対応するアプリケーションプログラムを起動するための操作である可能性もあれば、アプリケーションアイコンを整理するための操作である可能性もある。この両者を区別するため、一部の実施形態において、上記方法は、指紋識別エリアにおけるユーザの指紋情報を取得する時間が予め設置された時間閾値を超える場合、アプリケーションアイコンの整理機能を起動し、アプリケーションアイコンに対して整理することを含む。ここで、アプリケーションアイコンに対して整理することは、アプリケーションアイコンに対するユーザの座標移動命令を受け付け、アプリケーションアイコンを現在位置から目標位置に移動することを含む。予め設置された時間閾値の選択は実際の必要に応じて決定されることができ、例えば、１〜３秒のうちの１つの数値に決定することができる。目標位置は、整理待ちのアプリケーションアイコンの所在するページにおける他のアプリケーションアイコンが所在している位置であってもよく、整理待ちのアプリケーションアイコンの所在するページにおける所在するファイルの位置であってもよく、さらには、整理待ちのアプリケーションアイコンの所在するページ以外の他のページにおけるファイルまたは他のアプリケーションアイコンの所在している位置であってもよい。
【００５６】
一部の実施形態において、指紋識別エリアは複数の指紋識別サブエリアを含み、各指紋識別サブエリアの内側にはセンサユニットが対応設置されている。上記装置は、さらに、センサユニット制御回路を含み、上記方法は、さらに、指紋識別サブエリアに対するユーザの起動命令を受け付けてセンサユニット制御回路が指紋識別サブエリアの内側におけるセンサユニットを起動すること、および、指紋識別サブエリアに対するユーザの終了命令を受け付けてセンサユニット制御回路が指紋識別サブエリアの内側におけるセンサユニットを終了することを含む。
【００５７】
指紋識別サブエリアの数量が２つである場合を例にすれば、２つの指紋識別サブエリアは上下または左右でパネルに均等分布されることができ、他の配列方法でパネルに分布されることもでき、具体的には、センサユニットの形状に応じて決定できる。説明を便利にするため、２つの指紋識別サブエリアはそれぞれ第１指紋識別サブエリア、第２指紋識別サブエリアであり、第１指紋識別サブエリアの内側には第１センサユニットが対応設置され、第２指紋識別サブエリアの内側には第２センサユニットが対応設置されている。
【００５８】
以下、２つの指紋識別サブエリアを有する装置における応用過程について、具体的に説明する。使用過程において、ユーザは起動命令により第１指紋識別サブエリアの内側における第１センサユニットを起動し、また終了命令により第２指紋識別サブエリアの内側における第２センサユニットを終了する。第２指紋識別サブエリアの内側における第２センサが終了状態であるため、第２指紋識別サブエリアにおけるユーザの指の端部による操作は、指紋情報を入力できず、ユーザは自由に第２指紋識別サブエリアにおいて移動、整理などを行うことができる。そして、アプリケーションプログラムをロック解除または起動する必要がある場合、ユーザはアプリケーションプログラムに対応するアプリケーションアイコンを第２指紋識別サブエリアから第１指紋識別サブエリアにドラッグ＆ドロップすればよい。また、第１指紋識別サブエリアの内側における第１センサユニットが起動状態であるため、ユーザの指の端部が第１指紋識別サブエリア内に位置する際はユーザの指紋情報が同期に採集され、さらに、採集した指紋情報と予め設置した指紋情報とを照合し、アプリケーションの起動、ロック解除を実現する。上記技術的解決手段によれば、起動待ちのアプリケーションプログラムに対応するアプリケーションアイコンは最初から指紋識別エリアの外周に設置されていることを必要とせず、指紋識別エリア内に設置されることもできる。ユーザの誤操作を回避するためには、センサユニット制御回路により指紋識別エリアの内側におけるセンサユニットを終了状態に設置すればよく、ユーザの体験を効果的に向上させる。
【００５９】
他の一部の実施形態において、指紋識別サブエリアの数量はさらに他の数値であってもよく、実際の需要により設置できる。各指紋識別サブエリアの内側におけるセンサユニットの起動状態または終了状態は、ユーザ自身の好みにより設置できる。
【００６０】
一部の実施形態において、表示ユニットがＬＣＤ液晶表示パネルである場合、センサユニットの内側にはバックライトユニットがさらに設置され、センサユニットはバックライトユニットとＬＣＤ液晶表示パネルとの間に設置されている。ＬＣＤ液晶表示パネルは自発光部品でないため、取付ける際、センサユニットの内側にバックライトユニットを追加する必要がある。バックライトユニットはＬＣＤバックライトモジュールであってもよく、他の自発光機能を有する電子部品であってもよい。他の一部の実施形態において、表示ユニットがＡＭＯＬＥＤ表示パネルである場合、ＯＬＥＤ表示パネルは自発光部品であるため、バックライトユニットを設置する必要がない。上記２つの技術的解決手段によれば、異なるメーカの生産需要に効果的に満たし、装置の適用範囲を向上させることができる。
【００６１】
本実施形態において、アプリケーションプログラムは、画像、動画、音声、移動端末ソフトウェアのうちの１つまたは複数を含む。アプリケーションプログラムが画像、動画、音声である場合、アプリケーションプログラムに対応するアプリケーションアイコンはこれらのアプリケーションプログラムに対応するサムネイルであってもよく、ユーザ定義の復号待ちのアイコンであってもよい。使用過程において、ユーザはサムネイルまたは復号待ちのアイコンを指紋識別エリア内にドラッグ＆ドロップしてロック解除することができ、対応する画像、動画または音声を視聴できる。なお、移動端末ソフトウェアについていえば、アプリケーションアイコンは、該移動端末ソフトウェアをダウンロードする際のアイコンであって、ユーザはこれらのアイコンを指紋識別エリア内にドラッグ＆ドロップし、指紋情報がマッチングするのに成功した後、これらの移動端末ソフトウェアの起動を完成できる。
【００６２】
本実施形態において、センサユニットはＴＦＴイメージセンシングアレイ薄膜を含む。液晶表示（ＬＣＤ）パネルまたは有機発光ダイオード（ＯＬＥＤ）表示パネルは、パネルにおける画素アレイの表示機能を実現するために、いずれもＴＦＴ構造により単一画素を駆動して走査する。ＴＦＴスイッチ機能を形成する主要構造は金属酸化物シリコン電界効果トランスミッタ（ＭＯＳＦＥＴ）であり、熟知の半導体層材料は主に非晶質シリカ、ポリシリコン、イグゾー（ＩＧＺＯ）またはカーボンナノ材料が混雑される有機化合物などである。光センシングダイオードの構造もこれらの半導体材料により製造でき、かつ製造装置もＴＦＴアレイの製造装置と互換できるため、近年、ＴＦＴ光検出ダイオードはＴＦＴアレイ製造方法により製造し始めている。本実施形態におけるＴＦＴイメージセンシングアレイ薄膜は、上述のＴＦＴ光検出ダイオード（図４における光センシングダイオードエリア部分）であり、具体的な構造は米国特許ＵＳ６９４３０７０Ｂ２、中国特許ＣＮ２０４８０８３６１Ｕにおけるセンサユニット構造に対する説明を参照できる。ＴＦＴイメージセンシングアレイ薄膜の製造プロセスと表示パネルＴＦＴ構造との違いは、もともと表示パネルにおける画素開孔エリアを、製造プロセスにおいて光センシングエリアに変えることである。そのＴＦＴ製造方法は、例えば、米国特許ＵＳ６９４３０７０Ｂ２に示すように、薄型ガラスを採用してベース材料としてもよく、高耐熱性塑性材料を採用してベース材料としてもよい。
【００６３】
図３は、本発明の一実施形態に係る指紋識別に基づくアプリケーションの同期起動装置を示す図である。該装置は、タッチパネルを有するスマートフォン、タブレット型パソコン、パーソナルデジタルアシスタントなどのようなスマートモバイル機器であってもよく、パーソナルコンピュータ、産業用コンピュータなどのような電子機器であってもよい。該装置は、指紋識別エリアが設置されている表示ユニット１０１と、指紋識別エリアの内側に位置されて指紋識別エリアにおける指紋情報を取得するセンサユニット１０２と、を含む。該装置は、さらに、指紋情報設置ユニット１０４、操作命令受信ユニット１０５および処理ユニット１０６を含む。
【００６４】
指紋情報設置ユニット１０４は、アプリケーションアイコンと指紋情報との対応関係を予め設置する。アプリケーションアイコンは、アプリケーションプログラムのサムネイルであり、１つのアプリケーションアイコンは１つのアプリケーションプログラムに対応している。ユーザによりアプリケーションアイコンがクリックされる場合、アプリケーションプログラムに対する起動命令がトリガーされる。本実施形態において、アプリケーションプログラムは、画像、動画、音声、移動端末ソフトウェア（例えば、スマートフォンにおける各種のＡＰＰ）のうちの１つまたは複数を含む。予め設置した指紋情報は、ユーザにより予め入力され記憶された指紋情報であり、１つの指紋情報は１つまたは複数のアプリケーションアイコンと関連づけられることができ、アプリケーションアイコンと指紋情報との対応関係は記憶されている。ここで、アプリケーションアイコンと指紋情報との対応関係は、装置の記憶ユニットに記憶されることができ、たとえば、携帯電話のメモリ、コンピュータのハードディスクに記憶されてもよく、サーバの記憶ユニットに記憶されてもよい。そして、予め設置したアプリケーションアイコンと指紋情報との対応関係を取得する必要がある場合、装置とサーバとを通信接続さえすればよく、通信接続された後にサーバから予め記憶された指紋情報を取得すればよい。通信接続は、有線通信接続または無線通信接続を含む。
【００６５】
操作命令受信ユニット１０５は、アプリケーションアイコンに対するユーザの操作命令を受け付け、アプリケーションアイコンを指紋識別エリアに移動させる。ユーザは、まずクリックにより移動待ちのアプリケーションアイコンを選択し、続いて指のスライディングによりアプリケーションアイコンを初期位置から指紋識別エリアに移動させ、ドラッグ＆ドロップ命令をトリガーできる。当然ながら、ユーザは、移動待ちのアプリケーションアイコンを選択した後、一定のタッチルートに沿って移動させてからアプリケーションアイコンを指紋識別エリアに移動させ、ドラッグ＆ドロップ命令をトリガーしてもよい。簡単に言えば、アプリケーションアイコンのスライディングルートはユーザの好みに応じて自ら定めることができ、アプリケーションアイコンを移動させた後の終点が指紋識別エリアの範囲内に位置されることさえ保証すればよい。
【００６６】
一部の実施形態において、アプリケーションアイコンの初期位置は指紋識別エリアの外側に位置されており、操作命令受信ユニット１０５は、アプリケーションアイコンに対するユーザの操作命令を受け付け、アプリケーションアイコンを初期位置から指紋識別エリアに移動させ、タッチ命令はクリック命令またはボタン移動命令を含む。
【００６７】
タッチ命令がクリック命令である場合、操作命令受信ユニット１０５がアプリケーションアイコンに対するユーザの操作命令を受け付け、アプリケーションアイコンを初期位置から指紋識別エリアに移動させることは、以下の方法により実現される。アプリケーションアイコンがタッチされるポイントの数とタッチ命令との対応関係を設置し、タッチされるポイントの数が要求に満たしていることを検出した場合、クリック命令をトリガーし、アプリケーションアイコンを初期位置から指紋識別エリアに移動させる。たとえば、ユーザはダブルクリックをアプリケーションアイコンを移動させるクリック命令のトリガーとして予め設置できる。ユーザがアプリケーションプログラムに対してロック解除または起動を行う必要がある場合、パネルにおいてアプリケーションプログラムに対応するアプリケーションアイコンをダブルクリックさえすれば、アプリケーションアイコンは初期位置から速やかに指紋識別エリアに移動される。また、ユーザはさらに予め設置したボタンによりクリック命令をトリガーしてもよい。たとえば、パネルにおいて「移動」ボタンを追加設置し、ユーザにより移動待ちのアプリケーションアイコンがクリックされて選択された後、「移動」ボタンがクリックされれば、アプリケーションアイコンは速やかに指紋識別エリアに移動される。
【００６８】
タッチ命令がボタン移動命令である場合、操作命令受信ユニット１０５がアプリケーションアイコンに対するユーザの操作命令を受け付け、アプリケーションアイコンを初期位置から指紋識別エリアに移動させることは、以下の方法により実現される。ユーザによりロック解除待ちまたは起動待ちのアプリケーションプログラムに対応するアプリケーションアイコンが選択された後、パネルにおいて方向キー（たとえば、上、下、左、右との四つの方向を含む）を含む疑似キーボードを表示させ、疑似キーボードにおける方向キーに対するユーザの操作を受け付け、アプリケーションアイコンを初期位置から指紋識別エリアに移動させる。なお、機械式ボタンを有する装置については、さらに、ユーザによりロック解除待ちまたは起動待ちのアプリケーションプログラムに対応するアプリケーションアイコンが選択された後、機械式ボタンにおけるユーザの操作命令を受け付け、アプリケーションアイコンを初期位置から指紋識別エリアに移動させてもよい。
【００６９】
センサユニット１０２は、指紋識別エリアに位置されている現在ユーザの指紋情報を取得する。装置がユーザのドラッグ＆ドロップ命令を受け付けた場合、ユーザの手はアプリケーションアイコンを初期位置から指紋識別エリアに移動した後にパネルから離れ、指紋識別エリアの内側にはセンサユニットが設置されているため、センサユニットは、ユーザの手が指紋識別エリアの範囲内に位置されている場合のユーザの指紋情報を同期に採集できる。また、装置がユーザのタッチ命令を受け付けた場合、ユーザはロック解除待ちまたは起動待ちのアプリケーションプログラムのアプリケーションアイコンが指紋識別エリアに移動された後、再度手で指紋識別エリアを押圧すれば、装置はユーザの指紋情報を受け付けることができる。
【００７０】
処理ユニット１０６は、取得した指紋情報とアプリケーションアイコンに対応して予め設置した指紋情報とをマッチングするのに成功するか否かを判断し、マッチングするのに成功したと判断する場合、アプリケーションアイコンに対応するアプリケーションプログラムを起動し、マッチングするのに成功しないと判断する場合、アプリケーションアイコンに対応するアプリケーションプログラムを起動しない。指紋情報の照合は指紋識別アルゴリズムにより実現でき、指紋識別アルゴリズムは装置の記憶ユニットに記憶されることができる。センサユニットが指紋識別エリアにおける指紋情報を取得した後、装置のプロセッサは記憶ユニットに記憶されている指紋識別アルゴリズムを呼び出し、取得した指紋情報と予め設置した指紋情報とを照合して両者がマッチングするのに成功するか否かを判断する。指紋識別アルゴリズムは、指紋画像に対する前処理、データ特徴の抽出、特徴マッチング、指紋の識別などのステップを含み、多種のアルゴリズムにより実現でき、これらのアルゴリズムはいずれも成熟な既存技術であり、現在は既にいろんな暗号化および復号化の分野において応用されているため、ここでは詳細な説明を省略する。
【００７１】
一部の実施形態において、指紋情報設置ユニットがアプリケーションアイコンと指紋情報との対応関係を予め設置することは、以下の処理を含む。
【００７２】
操作命令受信ユニット１０５は、ユーザの設置命令を受け付け、表示ユニットは指紋識別エリアを表示する。設置命令はユーザがパネル上のタスクバーにおける１つのボタンをクリックすることによりトリガーされることができ、装置は設置命令を受け付けた後、指紋識別エリアを表示することにより、ユーザによる指紋情報の入力を便利にする。本実施形態において、指紋識別エリアを表示することは、指紋識別エリアの輝度を向上させること、または、指紋識別エリアにおいて入力を合図するインプットボックスを表示することを含む。他の実施形態において、ユーザの設置命令を受け付ける前に、さらに、ユーザＩＤおよびパスワードを含むユーザアカウント情報を受け付けることを含む。ユーザは正確なユーザＩＤおよびパスワードを入力する必要があり、ユーザアカウントにログインした後、設置命令をトリガーできる。このようにすれば、指紋情報設置の安全性を向上させることができるとともに、１つの装置における異なるユーザを区別でき、異なる指紋情報およびそれに対応するアプリケーションアイコンを記憶できる効果を奏する。
【００７３】
センサユニット１０２は、指紋識別エリアにおけるユーザの指紋情報を取得して記憶する。ユーザの指の端部が指紋識別エリアと接触する場合、センサユニットはユーザの指紋情報を採集し、採集した指紋情報は、即ち、予め設置する指紋情報であり、採集した情報を記憶ユニットに記憶する。
【００７４】
表示ユニット１０１は、アプリケーションプログラムリストを表示し、操作命令受信ユニット１０５はアプリケーションアイコンに対するユーザの選択命令を受け付け、処理ユニットは選択されたアプリケーションアイコンと取得した指紋情報との対応関係を構築して記憶する。選択命令は、ユーザのクリックによりチェックをいれ、ダブルクリックするなどの方法によりトリガーできる。このようにすれば、ユーザは自身の必要に応じて、情報の安全性が重要なアプリケーションプログラムについては、指紋情報を採用しなければ暗号化または起動できないように設置できる。一方、情報の安全性があまり重要でないアプリケーションプログラムについては、選択を設置せず、このようなアプリケーションは、起動または復号過程において指紋識別エリアに移動してロック解除する必要がなく、直接クリックすれば起動を完成できる。
【００７５】
一部の実施形態において、処理ユニット１０６は、さらに、取得した指紋情報とマッチングするのに成功する予め設置した指紋情報が識別されていない場合、合図情報を送信する。合図情報は、音声合図情報、画像合図情報、光合図情報、動画合図情報のうちの１つまたは複数を含む。取得した指紋情報とマッチングするのに成功する予め設置した指紋情報が識別されていないことは、通常、以下の２つの場合を含む。１つの場合は、指紋識別が失敗する場合であって、即ち、記憶ユニットには指紋情報を予め記憶したが、ユーザの指紋情報を取得する際、ユーザの指の端部とパネルとの接触が充分でなかったため、採集された指紋情報が完全でなく、指紋識別に失敗する場合である。他の１つの場合は、記憶ユニットに指紋情報が記憶されていない場合である。
【００７６】
上記１つの場合において、処理ユニット１０６は、取得した指紋情報とマッチングするのに成功する予め設置した指紋情報が識別されていないとき、音声合図情報または画像合図情報を送信する。音声合図情報は、再び指紋を入力するようにユーザに合図する音声による合図情報を含み、画像合図情報は、再び指紋を入力するようにユーザに合図するポップアップウインドーによる合図情報を含む。ユーザにより入力された指紋情報を取得する回数が予め設置された回数を超え、かつ取得した指紋情報とマッチングするのに成功する予め設置した指紋情報が識別されていない場合、記憶ユニットには指紋情報が記憶されていないとして認定され、即ち、上述の他の１つの場合である。
【００７７】
上記他の１つの場合において、処理ユニット１０６は、同様に画像合図情報を送信でき、例えば、ポップアップウインドーにより現在の指紋情報は記憶するための入力であることをユーザに合図する。なお、動画合図情報を送信することもでき、動画合図情報はどのように新たな指紋情報を入力するといった説明内容を含み、ユーザは動画合図情報にしたがって新たな指紋情報の入力を完成できる。当然ながら、合図情報は、さらに、振動、光による合図などの方法によっても実現できる。簡単に言えば、合図情報は、今回取得した指紋情報とマッチングする指紋情報がないということをユーザに速やかに了解してもらうためのものであって、合図情報の形式についての選択は異なるメーカの設置に応じて調整できる。
【００７８】
パネル上のアプリケーションアイコンに対するユーザの操作は、アプリケーションアイコンに対応するアプリケーションプログラムを起動するための操作である可能性もあれば、アプリケーションアイコンを整理するための操作である可能性もある。この両者を区別するため、一部の実施形態において、処理ユニット１０６は、さらに、指紋識別エリアにおけるユーザの指紋情報を取得する時間が予め設置された時間閾値を超える場合、アプリケーションアイコンの整理機能を起動し、アプリケーションアイコンに対して整理することを含む。処理ユニットがアプリケーションアイコンに対して整理することは、処理ユニット１０６がアプリケーションアイコンに対するユーザの座標移動命令を受け付け、アプリケーションアイコンを現在位置から目標位置に移動することを含む。予め設置された時間閾値の選択は実際の必要に応じて決定されることができ、例えば、１〜３秒のうちの１つの数値に決定することができる。目標位置は、整理待ちのアプリケーションアイコンの所在するページにおける他のアプリケーションアイコンが所在している位置であってもよく、整理待ちのアプリケーションアイコンの所在するページにおける所在するファイルの位置であってもよく、さらには、整理待ちのアプリケーションアイコンの所在するページ以外の他のページにおけるファイルまたは他のアプリケーションアイコンの所在している位置であってもよい。
【００７９】
一部の実施形態において、指紋識別エリアは複数の指紋識別サブエリアを含み、各指紋識別サブエリアの内側にはセンサユニットが対応設置されている。該装置は、さらに、センサユニット制御回路を含み、操作命令受信ユニットは、さらに、指紋識別サブエリアに対する起動命令を受け付けてセンサユニット制御回路が指紋識別サブエリアの内側におけるセンサユニットを起動すること、および、操作命令受信ユニットが指紋識別サブエリアに対するユーザの終了命令を受け付けてセンサユニット制御回路が指紋識別サブエリアの内側におけるセンサユニットを終了する。
【００８０】
指紋識別サブエリアの数量が２つである場合を例にすれば、２つの指紋識別サブエリアは上下または左右でパネルに均等分布されることができ、他の配列方法でパネルに分布されることもでき、具体的には、センサユニットの形状に応じて決定できる。説明を便利にするため、２つの指紋識別サブエリアはそれぞれ第１指紋識別サブエリア、第２指紋識別サブエリアであり、第１指紋識別サブエリアの内側には第１センサユニットが対応設置され、第２指紋識別サブエリアの内側には第２センサユニットが対応設置されている。
【００８１】
以下、２つの指紋識別サブエリアを有する装置における応用過程について、具体的に説明する。使用過程において、ユーザは起動命令によりセンサユニット制御回路が第１指紋識別サブエリアの内側における第１センサユニットを起動し、また終了命令によりセンサユニット制御回路が第２指紋識別サブエリアの内側における第２センサユニットを終了する。第２指紋識別サブエリアの内側における第２センサが終了状態であるため、第２指紋識別サブエリアにおけるユーザの指の端部による操作は、指紋情報を入力できず、ユーザは自由に第２指紋識別サブエリアにおいて移動、整理などを行うことができる。そして、アプリケーションプログラムをロック解除または起動する必要がある場合、ユーザはアプリケーションプログラムに対応するアプリケーションアイコンを第２指紋識別サブエリアから第１指紋識別サブエリアにドラッグ＆ドロップすればよい。また、第１指紋識別サブエリアの内側における第１センサユニットが起動状態であるため、ユーザの指の端部が第１指紋識別サブエリア内に位置する際はユーザの指紋情報が同期に採集され、さらに、採集した指紋情報と予め設置した指紋情報とを照合し、アプリケーションの起動、ロック解除を実現する。上記技術的解決手段によれば、起動待ちのアプリケーションプログラムに対応するアプリケーションアイコンは最初から指紋識別エリアの外周に設置されていることを必要とせず、指紋識別エリア内に設置されることもできる。ユーザの誤操作を回避するためには、センサユニット制御回路により指紋識別エリアの内側におけるセンサユニットを終了状態に設置すればよく、ユーザの体験を効果的に向上させる。
【００８２】
他の一部の実施形態において、指紋識別サブエリアの数量はさらに他の数値であってもよく、実際の需要により設置できる。各指紋識別サブエリアの内側におけるセンサユニットは起動状態または終了状態は、ユーザ自身の好みにより設置できる。
【００８３】
図５は、本発明の他の一実施形態に係る指紋識別に基づくアプリケーションの起動装置を示す図である。一部の実施形態において、表示ユニットはＡＭＯＬＥＤ表示パネルまたはＬＣＤ液晶表示パネルを含む。
【００８４】
表示ユニットがＬＣＤ液晶表示パネルである場合、センサユニットの内側にはバックライトユニットがさらに設置され、センサユニットはバックライトユニットとＬＣＤ液晶表示パネルとの間に設置されている。ＬＣＤ液晶表示パネルは自発光部品でないため、取付ける際、センサユニットの内側にバックライトユニットを追加する必要がある。バックライトユニットはＬＣＤバックライトモジュールであってもよく、他の自発光機能を有する電子部品であってもよい。他の一部の実施形態において、表示ユニットがＡＭＯＬＥＤ表示パネルである場合、ＯＬＥＤ表示パネルは自発光部品であるため、バックライトユニットを設置する必要がない。上記２つの技術的解決手段によれば、異なるメーカの生産需要に効果的に満たし、装置の適用範囲を向上させることができる。
【００８５】
本実施形態において、アプリケーションプログラムは、画像、動画、音声、移動端末ソフトウェアのうちの１つまたは複数を含む。アプリケーションプログラムが画像、動画、音声である場合、アプリケーションプログラムに対応するアプリケーションアイコンはこれらのアプリケーションプログラムに対応するサムネイルであってもよく、ユーザ定義の復号待ちのアイコンであってもよい。使用過程において、ユーザはサムネイルまたは復号待ちのアイコンを指紋識別エリア内にドラッグ＆ドロップしてロック解除することができ、対応する画像、動画または音声を視聴できる。なお、移動端末ソフトウェアについていえば、アプリケーションアイコンは、該移動端末ソフトウェアをダウンロードする際のアイコンであって、ユーザはこれらのアイコンを指紋識別エリア内にドラッグ＆ドロップし、指紋情報がマッチングするのに成功した後、これらの移動端末ソフトウェアの起動を完成できる。
【００８６】
図４は、本発明の一実施形態に係るセンサユニットを示す図である。本実施形態において、センサユニットはＴＦＴイメージセンシングアレイ薄膜を含む。液晶表示（ＬＣＤ）パネルまたは有機発光ダイオード（ＯＬＥＤ）表示パネルは、パネルにおける画素アレイの表示機能を実現するために、いずれもＴＦＴ構造により単一画素を駆動して走査する。ＴＦＴスイッチ機能を形成する主要構造は金属酸化物シリコン電界効果トランジスタ（ＭＯＳＦＥＴ）であり、熟知の半導体層材料は主に非晶質シリカ、ポリシリコン、イグゾー（ＩＧＺＯ）またはカーボンナノ材料が混雑される有機化合物などである。光センシングダイオードの構造もこれらの半導体材料により製造でき、かつ製造装置もＴＦＴアレイの製造装置と互換できるため、近年、ＴＦＴ光検出ダイオードはＴＦＴアレイ製造方法により製造し始めている。本実施形態におけるＴＦＴイメージセンシングアレイ薄膜は、上述のＴＦＴ光検出ダイオード（図４における光検出ダイオードエリア部分）であり、具体的な構造は米国特許ＵＳ６９４３０７０Ｂ２、中国特許ＣＮ２０４８０８３６１Ｕにおけるセンサユニット構造に対する説明を参照できる。ＴＦＴイメージセンシングアレイ薄膜の製造プロセスと表示パネルＴＦＴ構造との違いは、もともと表示パネルにおける画素開孔エリアを、製造プロセスにおいて光センシングエリアに変えることである。ＴＦＴ製造方方法は、例えば、米国特許ＵＳ６９４３０７０Ｂ２に示すように、薄型ガラスを採用してベース材料としてもよく、高耐熱性塑性材料を採用してベース材料としてもよい。
【００８７】
本発明によれば、以下の利点を有する。表示ユニットの指紋識別エリアの内側にセンサユニットが設置されているため、ユーザがパネル上のアプリケーションアイコンついて操作を行うとき、直ちに、ユーザの指紋情報を採集でき、採集した指紋情報と予め設置した指紋情報とを照合することによってアプリケーションプログラムに対する起動またはロック解除を実現できる。既存の移動端末機器が表示パネル外側のセンサを介して指紋を認証してからアプリケーションを起動しなければならない方法に比べて、本発明は、パネル上のアプリケーションアイコンに対してユーザの指紋で直接ロック解除する操作可能性を増強し、ユーザの体験を改善できるだけでなく、全画面化、薄型化設計の端末に対し、該操作性を介して、パネル内での指紋識別機能を実現することによりマーケットの需要に満たすことができる。
【００８８】
説明すべきこととして、本明細書において、例えば、第１および第２などのような用語は、１つの実体または操作を他の１つの実体または操作と区別するために使用するものであり、これらの実体または操作の間に何らかの関係または順序が存在することを要求したり、示唆したりするものではない。また、「備える」、「含む」の用語またはこれらの用語のその他の如何なる変更体は、非排他的に包含することを意味しており、一連の要素を含む過程、方法、物品または端末設備がこれらの要素を含むだけでなく、さらに、明確に例示していないその他の要素も含み、または、このような過程、方法、物品または端末設備に固有する要素をさらに含んでもよい。さらなる制限がない限り、「・・・含み」または「・・・備え」により限定された要素は、該要素を含む過程、方法、物品または端末設備には、さらに、他の要素が存在することを排除しない。なお、本明細書における「より大きい」、「より小さい」、「超える」などの用語は該数自身を含まないように理解され、「以上」、「以下」、「以内」などの用語は該数自身を含むように理解される。
【００８９】
いわゆる当業者であれば、上記各実施形態は方法、装置またはコンピュータプログラム製品として提供できることがわかる。これらの実施形態は完全なハードウェアによる実施形態、完全なソフトウェアによる実施形態またはソフトウェアとハードウェアとを組み合わせた実施形態を採用できる。また、上記各実施形態に関する方法のうちの全部または一部のステップは、プログラムにより関連するハードウェアを命令することにより完成でき、該プログラムはコンピュータ機器の読取可能な記憶媒体に記憶されることができ、上記各実施形態の方法における全部または一部のステップを実行する。該コンピュータ機器は、パーソナルコンピュータ、サーバ、汎用コンピュータ、専用コンピュータ、ネットワーク機器、組み込み式機器、プログラミング可能な機器、スマート移動端末、スマート家具機器、ウェアラブルスマート機器、車載スマート機器などが含まれるが限定されない。該記憶媒体は、ＲＡＭ、ＲＯＭ、ディスク、磁気テープ、光ディスク、フラッシュメモリ、ＵＳＢフラッシュドライブ、ポータブルハードディスク、メモリカード、メモリースティック、ネットワークサーバメモリ、ネットワークラウドストレージなどが含まれるが限定できない。
【００９０】
上記各実施形態は実施形態により記述された方法、機器（システム）およびコンピュータプログラム製品のフローチャートおよび／またはブロック図を参照して説明する。理解すべきことは、コンピュータプログラム命令によりフローチャートおよび／またはブロック図のうちの各フローおよび／またはブロック、およびフローチャートおよび／またはブロック図のうちのフローおよび／ブロックの合わせにより実現される。１つの機器が生成されるように、これらのコンピュータプログラム命令をコンピュータ機器のプロセッサに提供することができ、コンピュータ機器のプロセッサにより実行する命令は、フローチャートの１つのフローまたは複数のフローおよび／またはブロック図の１つのブロックまたは複数のブロックのうちの指定する機能を実現する装置を生産する。
【００９１】
これらのコンピュータプログラム命令はコンピュータ機器を引導できる特定方式で作業するコンピュータ機器の可読メモリに記憶することもでき、該コンピュータ機器可読メモリに記憶された命令は命令装置を含む製造品に生成し、該命令装置は流れ図の１つの流れまたは複数の流れおよび／またはブロック図の１つのブロックまたは複数のブロックに指定された機能を実現する。
【００９２】
これらのコンピュータプログラム命令はコンピュータ機器にインストールすることができ、コンピュータに実現する処理を生成するように、コンピュータ機器に１シリーズの操作ステップを実行するために、コンピュータ機器に実行する命令に、流れ図の１つの流れまたは複数の流れおよび／またはブロック図の１つのブロックまたは複数のブロックに指定された機能を実現するステップを提供する。
【００９３】
上記実施例に対し説明したが、当業者であれば、基本的な進歩性概念がわかれば、これらの実施例に対し他の変更と修正を行うことができるため、以上は本発明の実施形態に過ぎず、これらは本発明の保護範囲を限定するものではない。本発明の明細書および図面の内容により行われた均等の構造または等価流れの変換を利用し、またはその他の関連技術分野に直接または間接に運用することは、同様に全て本発明の保護範囲に含まれる。
【符号の説明】
【００９４】
１０１  表示ユニット、
１０２  センサユニット、
１０３  バックライトユニット、
１０４  指紋情報設置ユニット、
１０５  操作命令受信ユニット、
１０６  処理ユニット。
【図１】
2020504407.tif 000003
【図２】
2020504407.tif 000004
【図３】
2020504407.tif 000005
【図４】
2020504407.tif 000006
【図５】
2020504407.tif 000007
【国際調査報告】
2020504407.tif 000008
2020504407.tif 000009
2020504407.tif 000010
2020504407.tif 000011